(57)【要約】【課題】本考案の目的とするところは、例えば歩行しながら安定して揚げることができ、しかも構造が単純でコストを大幅に低減させることができる手持ち式の簡易凧を提供することにある。【解決手段】骨を使用せず、軽量で丈夫な紙製である凧本体の表面に揚げ糸を貼着し、前記揚げ糸の他端を、棒の一端に連結した棒付き凧であって、前記紙製の凧本体が坪量が４５ｇ／ｍ2〜７０ｇ／ｍ2である紙を用いていることを特徴とする手持ち式の簡易凧。【選択図】図２
0003212695.tif 000002
【実用新案登録請求の範囲】
【請求項１】
骨を使用せず、軽量で丈夫な紙製である凧本体の表面に揚げ糸を貼着し、前記揚げ糸の他端を、棒の一端に連結した棒付き凧であって、前記紙製の凧本体が坪量が４５ｇ／ｍ2〜７０ｇ／ｍ2である紙を用いていることを特徴とする手持ち式の簡易凧。
【請求項２】
骨を使用せず、軽量で丈夫な紙製である凧本体の表面に揚げ糸を貼着し、前記揚げ糸の他端を、棒の一端に連結した棒付き凧であって、前記紙製の凧本体が樹脂繊維製の補強布をパルプを主原料とする紙層でサンドイッチした構造の紙を用いてなることを特徴とする請求項１に記載の手持ち式の簡易凧。
【請求項３】
前記凧本体が、一枚の紙で縦長の長方形に形成されていることを特徴とする請求項１または２に記載の手持ち式の簡易凧。
【請求項４】
前記凧本体が、縦長の長方形の長辺が重なるように、中心線で折畳み可能としたことを特徴とする請求項３に記載の手持ち式の簡易凧。
【請求項５】
前記揚げ糸の貼着部が、凧本体の中心線の上部、より好ましくは上部1／３部に位置させたことを特徴とする請求項１ないし４のいずれかに記載の手持ち式の簡易凧。
【請求項６】
前記揚げ糸が、凧本体に形成した貫通孔に挿通され、凧本体の裏面で貼着されていることを特徴とする請求項１ないし請求項５のいずれかに記載の手持ち式の簡易凧。
【請求項７】
前記棒の一端に連結した揚げ糸が、棒の一端の突き刺さりを防止するキャップを介して連結されていることを特徴とする請求項１ないし６のいずれかに記載の手持ち式の簡易凧。
【考案の詳細な説明】
【技術分野】
【０００１】
本考案は、紙製の簡易凧に係るものであり、より詳細には揚げ糸の先に棒を取り付けて手持ち式で歩行時の微風で上げることが可能である手持ち式の簡易凧に関する。
【背景技術】
【０００２】
従来のこの種の簡易凧の例としては次のような例が知られている。
実用新案登録第３０９４４１９号公報（特許文献１参照）には、横長形状を有するベースシートと、このベースシートの一面に側縁が取り付けられて上端および下端が開放された少なくとも１つの筒状空洞部を形成するサブシートとで構成され、前記筒状空洞部はその下端開口幅を上端開口幅より小さく形成し、前記筒状空洞部の両側に糸目糸を取り付ける垂直翼を連設してなり、前記筒状空洞部の上端開口部から取り入れた空気のラム圧により該筒状空洞部が膨脹して飛揚するようにしたことを特徴とする骨なしカイトが提案されている。
【０００３】
また、実開平１−１３８４９６号公報（特許文献２参照）には、棒の先に糸を付け、その糸の先に上辺を棒で補強した凧を付けた棒付き凧ないし滑空する凧が提案されている。
【先行技術文献】
【特許文献】
【０００４】
【特許文献１】実用新案登録第３０９４４１９号公報
【特許文献２】実開平１−１３８４９６号公報
【考案の概要】
【考案が解決しようとする課題】
【０００５】
ところで、特許文献１の考案においては、筒状空洞部が膨脹する機構であるため、非常に不安定であり、また構造が非常に複雑で高価になってしまうという問題があった。
また特許文献２の考案においては、全体形状がＶ字状の凧であって不安定であり、また上辺の棒が重くてやはり非常に不安定になってしまうという問題があった。
【０００６】
本考案は、上述した問題に対処して考案したものであって、その目的とするところは、例えば歩行しながら安定して揚げることができ、しかも構造が単純でコストを大幅に低減させることができる手持ち式の簡易凧を提供することにある。
【課題を解決するための手段】
【０００７】
すなわちこの考案の手持ち式の簡易凧は、骨を使用せず、軽量で丈夫な紙製である凧本体の表面に揚げ糸を貼着し、前記揚げ糸の他端を、棒の一端に連結した手持ち式の簡易凧であって、前記紙製の凧本体が坪量が４５ｇ／ｍ2〜７０ｇ／ｍ2である紙を用いていることを特徴とするものである。
【０００８】
この考案の手持ち式の簡易凧は、骨を使用せず、軽量で丈夫な紙製である凧本体の表面に揚げ糸を貼着し、前記揚げ糸の他端を、棒の一端に連結した手持ち式の簡易凧であって、前記紙製の凧本体が樹脂繊維製の補強布をパルプを主原料とする紙層でサンドイッチした構造の紙を用いてなることをも特徴とするものである。
【０００９】
この考案の手持ち式の簡易凧において、前記凧本体が、一枚の紙で縦長の長方形に形成されていることをも特徴とするものである。
【００１０】
この考案の手持ち式の簡易凧において、前記凧本体が、縦長の長方形の長辺が重なるように、中心線で折畳み可能としたことをも特徴とするものである。
【００１１】
この考案の手持ち式の簡易凧において、前記揚げ糸の貼着部が、凧本体の中心線の上部、より好ましくは上部1／３部に位置させたことをも特徴とするものである。
【００１２】
この考案の手持ち式の簡易凧において、前記揚げ糸が、凧本体に形成した貫通孔に挿通され、凧本体の裏面で貼着されていることをも特徴とするものである。
【００１３】
この考案の手持ち式の簡易凧において、前記棒の一端に連結した揚げ糸が、棒の一端の突き刺さりを防止するキャップを介して連結されていることをも特徴とするものである。
【考案の効果】
【００１４】
請求項１の手持ち式の簡易凧は、骨を使用せず、軽量で丈夫な紙製である凧本体の表面に揚げ糸を貼着し、さらに前記紙製の凧本体が坪量が４５ｇ／ｍ2〜７０ｇ／ｍ2である紙を用いているものである。
このような坪量が４５ｇ／ｍ2〜７０ｇ／ｍ2である紙を用いた手持ち式の簡易凧は、手持ちの状態で得る少しの風では一般に重すぎて揚げることは難しいのではないかと思われていたが、実際に挙げてみたところ何の問題もなく揚げることができたのである。
【００１５】
請求項２の手持ち式の簡易凧は、骨を使用せず、軽量で丈夫な紙製である凧本体の表面に揚げ糸を貼着し、かつ前記紙製の凧本体が樹脂繊維製の補強布をパルプを主原料とする紙層でサンドイッチした構造の紙を用いたものである。
このように凧本体として樹脂繊維製の補強布をパルプを主原料とする紙層でサンドイッチした構造の紙を用いた場合、かなりの風速であっても所定の形状を保持することができ、歩行速度程度であっても十分に揚げることができることを確認することができたのである。
【００１６】
請求項３の手持ち式の簡易凧は、前記凧本体が、一枚の紙で縦長の長方形に形成されていることをも特徴とするものである。
このように、前記凧本体として一枚の紙で縦長の長方形に形成したものである場合、歩行速度程度であってもバランスよく揚げることができたのである。
【００１７】
請求項４の手持ち式の簡易凧において、前記凧本体が、縦長の長方形の長辺が重なるように、中心線で折畳み可能としたことをも特徴とするものである。
したがって商品化した場合にはコンパクトに包装することができ、しかも拡げて凧として揚げる際には前記中心線が風を切る峰となって、歩行速度程度であってもバランスよく揚げることができたのである。
【００１８】
請求項５の手持ち式の簡易凧において、前記揚げ糸の貼着部が、凧本体の中心線の上部、より好ましくは上部1／３部に位置させたことをも特徴とするものである。
このように前記揚げ糸の貼着部を配置すると、歩行速度程度であってもバランスよく揚げることができたのである。
【００１９】
請求項６の手持ち式の簡易凧において、前記揚げ糸が、凧本体に形成した貫通孔に挿通され、凧本体の裏面で貼着されていることをも特徴とするものである。
したがって、前記揚げ糸を非常に効率的に凧本体に取り付けることができ、かつ低コストで手持ち式の簡易凧を提供することができたのである。
【００２０】
請求項７の手持ち式の簡易凧において、前記棒の一端に連結した揚げ糸が、棒の一端の突き刺さりを防止するキャップを介して連結されていることをも特徴とするものである。
こうすることによって商品化した場合には、使用者が怪我をする危険を回避することができ、したがって付加価値の高い手持ち式の簡易凧を提供することができたのである。
【図面の簡単な説明】
【００２１】
【図１】本考案の手持ち式の簡易凧の概略斜視図である。
【図２】使用状態を示す概略斜視図である。
【考案を実施するための形態】
【００２２】
以下、図面を参照しながら、本考案を具体化した実施形態について説明する。図１および図２に示す、本実施形態の手持ち式の簡易凧１１は、骨を使用せず、軽量で丈夫な紙製である凧本体１２の表面に揚げ糸１３を貼着し、前記揚げ糸１３の他端を、棒１４の一端に連結した棒付き凧であって、前記紙製の凧本体１２として坪量が４５ｇ／ｍ2〜７０ｇ／ｍ2である紙を用いていることを特徴とする。図において１５は凧本体のバランスを取るための尾である。
このような坪量が４５ｇ／ｍ2〜７０ｇ／ｍ2である紙を用いた手持ち式の簡易凧１１は、手持ちの状態で得る少しの風では一般に重すぎて揚げることは難しいのではないかと思われていたが、実際に挙げてみたところ何の問題もなく揚げることができたのである。
【００２３】
前記紙製の凧本体１２は坪量が４５ｇ／ｍ2〜７０ｇ／ｍ2である紙を用いているのであり、前記紙製の凧本体１２は樹脂繊維製の補強布２１ａをパルプを主原料とする紙層２１ｂでサンドイッチした構造の紙２１を用いたものである。
このように凧本体１２として樹脂繊維製の補強布２１ａをパルプを主原料とする紙層２１ｂでサンドイッチした構造の紙２１を用いた場合、かなりの風速であっても所定の形状を保持することができ、歩行速度程度であっても十分に揚げることができることを確認することができた。
【００２４】
また本実施形態において、前記凧本体１２は一枚の紙で縦長の長方形に形成したものである。
このように、前記凧本体１２として一枚の紙で縦長の長方形に形成したものである場合、歩行速度程度であってもバランスよく揚げることができたのである。
しかも、前記凧本体１２が、縦長の長方形の長辺が重なるように、中心線１２ａで折畳み可能となっている。これを商品化した場合には、コンパクトに包装することができ、しかも拡げて凧として揚げる際には、前記中心線１２ａが風を切る峰となって、歩行速度程度であってもバランスよく揚げることができたのである。
【００２５】
本実施形態において、前記揚げ糸１３の貼着部１２ｂを凧本体１２の中心線１２ａの上部、より好ましくは上部1／３部に位置させている。このように前記揚げ糸１３の貼着部１２ｂを配置すると、歩行速度程度であってもバランスよく揚げることができたのである。
また、前記揚げ糸１３が、凧本体１２に形成した貫通孔１２ｃに挿通され、凧本体１２の裏面で貼着されている。こうすることにより、前記揚げ糸１３を非常に効率的に凧本体１２に取り付けることができ、かつ低コストで手持ち式の簡易凧を提供することができた。
【００２６】
なお、前記棒１４の一端に連結した揚げ糸１３が、棒１４の一端の突き刺さりを防止するキャップ３１を介して連結されている。
こうすることによって商品化した場合には、使用者が怪我をする危険を回避することができ、しかも前記キャップ３１を揚げ糸１３を介して前記棒１４の先端から圧入するだけで簡単に揚げ糸１３を連結することができる。
したがって、付加価値の高い手持ち式の簡易凧１１を提供することができたのである。
【産業上の利用可能性】
【００２７】
なお、本考案は、上述した実施形態に限定されるものでなく、本考案の要旨を変更しない範囲内で変形実施できるものを含む。
【符号の説明】
【００２８】
１１  手持ち式の簡易凧
１２  凧本体
１２ａ  中心線
１２ｂ  貼着部
１２ｃ  貫通孔
１３  揚げ糸
１４  棒
１５  尾
２１  紙
２１ａ  補強布
２１ｂ  紙層
３１  キャップ
【図１】
0003212695.tif 000003
【図２】
0003212695.tif 000004
【手続補正書】
【提出日】平成29年8月2日(2017.8.2)
【手続補正１】
【補正対象書類名】実用新案登録請求の範囲
【補正対象項目名】全文
【補正方法】変更
【補正の内容】
【実用新案登録請求の範囲】
【請求項１】
骨を使用せず、軽量で丈夫な紙製である凧本体の表面に揚げ糸を貼着し、前記揚げ糸の他端を、棒の一端に連結した棒付き凧であって、前記紙製の凧本体が坪量が４５ｇ／ｍ2〜７０ｇ／ｍ2である紙を用いていることを特徴とする手持ち式の簡易凧。
【請求項２】
骨を使用せず、軽量で丈夫な紙製である凧本体の表面に揚げ糸を貼着し、前記揚げ糸の他端を、棒の一端に連結した棒付き凧であって、前記紙製の凧本体が樹脂繊維製の補強布をパルプを主原料とする紙層でサンドイッチした構造の紙を用いてなることを特徴とする請求項１に記載の手持ち式の簡易凧。
【請求項３】
前記凧本体が、一枚の紙で縦長の長方形に形成されていることを特徴とする請求項１または２に記載の手持ち式の簡易凧。
【請求項４】
前記凧本体が、縦長の長方形の長辺が重なるように、中心線で折畳み可能としたことを特徴とする請求項３に記載の手持ち式の簡易凧。
【請求項５】
前記揚げ糸の貼着部が、凧本体の中心線の上部1／３部に位置させたことを特徴とする請求項１ないし４のいずれかに記載の手持ち式の簡易凧。
【請求項６】
前記揚げ糸が、凧本体に形成した貫通孔に挿通され、凧本体の裏面で貼着されていることを特徴とする請求項１ないし請求項５のいずれかに記載の手持ち式の簡易凧。
【請求項７】
前記棒の一端に連結した揚げ糸が、棒の一端の突き刺さりを防止するキャップを介して連結されていることを特徴とする請求項１ないし６のいずれかに記載の手持ち式の簡易凧。